(57)【特許請求の範囲】
【請求項１】
無線アクセスポイントを介して通信するインフラストラクチャモードによる通信機能と、近傍に存在する近傍端末と前記無線アクセスポイントを介さないで直接通信するアドホックモードによるローカル通信機能を具備する無線ＬＡＮ（Ｌｏｃａｌ  Ａｒｅａ  Ｎｅｔｗｏｒｋ）端末であって、
前記近傍端末に装着されたタグの情報を読取るタグ情報読取手段と、前記近傍端末とローカル通信を実行するためのローカル通信パラメータを設定するローカル通信パラメータ設定手段を有し、
前記アドホックモードによる通信機能を起動するための予め定められた特定操作があった場合に、
前記タグ情報読取手段は、前記近傍端末に装着されたタグから当該近傍端末とローカル通信を実行するためのローカル通信パラメータを読取り、
前記ローカル通信パラメータ設定手段は、当該ローカル通信パラメータを自無線通信端末に設定し、
自無線通信端末は、前記設定されたローカル通信パラメータにより前記近傍端末とローカル通信を実行し、前記ローカル通信が終了したならば前記タグ情報読取手段を停止することを特徴とするローカル通信機能を有する無線通信端末。
【請求項２】
請求項１に記載の無線通信端末において、
前記近傍端末に装着されるタグは無線タグであって、
前記タグ情報読取手段は無線タグリーダであることを特徴とするローカル通信機能を有する無線通信端末。
【発明の詳細な説明】
【技術分野】
【０００１】
本発明は、無線基地局やアクセスポイント等の無線ネットワークを介さないで近傍の端末と直接通信するローカル通信を、簡単な設定操作で実行できる無線通信端末に関する。
【背景技術】
【０００２】
無線ＬＡＮ（Ｌｏｃａｌ  Ａｒｅａ  Ｎｅｔｗｏｒｋ）においては、アクセスポイントを介するインフラストラクチャモードによる通信が一般的であるが、相互に通信する無線端末の距離がお互いに電波の届く範囲内であれば、アクセスポイントを介さない端末間ローカルで直接通信するアドホックモード（ＩＥＥＥ８０２．１１）による通信も可能である。
このアドホックモードによる通信を実行するには、ＥＳＳ−ＩＤ（Ｅｘｔｅｎｄｅｄ  Ｓｅｒｖｉｃｅ  Ｓｅｔ−ＩＤｅｎｔｉｆｉｅｒ）や無線チャネルやワークグループ等の、アドホックモードに係るローカル通信パラメータを双方の端末で同じ値に設定する必要があり、これらローカル通信パラメータの設定が面倒であった。
これを改善する技術として、通信網を介してアドホックモードによる通信を実行するための情報を報知する技術がある（例えば特許文献１）。
【０００３】
しかしながら、特許文献１に記載された技術では、通信網経由でアドホックモードに係るローカル通信パラメータを授受する必要があり、アクセスポイントが無くインフラストラクチャモードによる通信が出来ない環境では実行出来ないという欠点があった。
【０００４】
【特許文献１】特開２００７−２５１４５０号公報
【発明の開示】
【発明が解決しようとする課題】
【０００５】
本発明の課題は、近傍の無線端末とローカル通信をするのに必要なローカル通信パラメータの設定を、アクセスポイントが無い環境でも簡単に実行できる無線通信端末を提供することにある。
【課題を解決するための手段】
【０００６】
上記課題を解決するために、本発明は、無線アクセスポイントを介して通信するインフラストラクチャモードによる通信機能と、近傍に存在する近傍端末と前記無線アクセスポイントを介さないで直接通信するアドホックモードによるローカル通信機能を具備する無線ＬＡＮ（Ｌｏｃａｌ  Ａｒｅａ  Ｎｅｔｗｏｒｋ）端末であって、前記近傍端末に装着されたタグの情報を読取るタグ情報読取手段と、前記近傍端末とローカル通信を実行するためのローカル通信パラメータを設定するローカル通信パラメータ設定手段を有し、前記アドホックモードによる通信機能を起動するための予め定められた特定操作があった場合に、前記タグ情報読取手段は、前記近傍端末に装着されたタグから当該近傍端末とローカル通信を実行するためのローカル通信パラメータを読取り、前記ローカル通信パラメータ設定手段は、当該ローカル通信パラメータを自無線通信端末に設定し、自無線通信端末は、前記設定されたローカル通信パラメータにより前記近傍端末とローカル通信を実行し、前記ローカル通信が終了したならば前記タグ情報読取手段を停止することを特徴とする。
【発明の効果】
【０００７】
本発明によれば、近傍の無線端末とローカル通信をする際に必要なローカル通信パラメータの設定を、無線ネットワーク通信が出来ない状況においても、簡単な操作で実行できる無線通信端末を提供できる。
【発明を実施するための最良の形態】
【０００８】
以下、本発明の実施形態について図面を用いて説明する。
図１は、本発明に係る無線通信端末を含む無線通信システムの全体構成図であって、１および２は本発明の無線通信端末（以下、無線端末と略す）、３は無線タグ３２（タグと略すこともある）が装着された無線端末、４は無線アクセスポイント、５はＬＡＮ（Ｌｏｃａｌ  Ａｒｅａ  Ｎｅｔｗｏｒｋ）である。
無線端末１および２は、無線アクセスポイント４及びＬＡＮを介して通信するインフラストラクチャモードと、ネットワークを介さないで近傍の無線端末とローカル通信するアドホックモードの両方を有する。
【０００９】
無線端末１および２は、無線タグリーダ（タグリーダまたはリーダと略すこともある）１１および２１を有する。無線タグリーダ１１および２１は近隣の無線タグからタグに記憶された情報を読取る。無線端末２はさらに無線タグ２２も有する。これに対して、無線端末３は無線タグ３２のみを有する。
【００１０】
無線タグ２２および３２は無線端末２および無線端末３に装着されており、当該無線端末がアドホックモードによるローカル通信する場合のローカル通信パラメータが記憶されている。
なお、無線端末３はローカル通信が可能な一般的な無線端末でよく、当該無線端末に予め設定したローカル通信に係るローカル通信パラメータを、所定の無線タグライタ（図示せず）で書込んだ無線タグ３２を当該無線端末の筐体の適当な部位に貼り付ければよい。
【００１１】
図２は、本発明の無線端末１の内部ブロック図であって、１１は無線タグリーダ、１３はキー入力部、１４は端末制御部、１５はローカル通信パラメータ設定部、１６は通信制御部、１７は無線通信部、１８は表示部である。
なお、この無線端末１は、データ通信端末や無線電話端末であり、情報蓄積や音声入出力等の端末機能は、端末制御部１４に包含されているものとする。
【００１２】
キー入力部１３により、ローカル通信を開始するための特定操作が為されると（例えば“＃＃”押下）、端末制御部１４は無線タグリーダ１１を起動し、無線タグリーダ１１は近傍の無線タグからの情報読取り動作を開始する。
【００１３】
ここで、無線タグリーダ１１の読取り範囲（例えば数ｃｍ）内に無線タグが存在すれば、当該無線タグに記憶されたタグ情報を読取る。もし、無線タグリーダ１１の読取り範囲内に無線タグが存在していなければ、所定の時間（例えば５分）が経過した後に、無線タグリーダ１１の読取り動作は終了する。
なお、実際の操作としては、例えば、無線端末１の無線タグリーダ１１の部分を無線端末３の無線タグの部分にタッチして、タグ情報を読取る。
【００１４】
無線タグリーダ１１が近傍の無線タグからタグ情報を読取ると、読取ったタグ情報はローカル通信パラメータ設定部１５に通知される。ローカル通信パラメータ設定部１５は通知されたタグ情報がローカル通信に係る情報か否かを判定し、ローカル通信に係る情報であった場合に、当該タグ情報からローカル通信に必要なローカル通信パラメータを抽出し、当該抽出したローカル通信パラメータを通信制御部１６に設定する。
通信制御部１６は設定されたローカル通信パラメータで、無線通信部１７を介して近傍の無線端末（図１の例では無線端末３）とアドホックモードによる無線通信（ローカル通信）を実行する。
【００１５】
ここで、ローカル通信を実行する際に設定するローカル通信パラメータは、無線ＬＡＮのアドホックモードの場合、ＥＳＳ−ＩＤや無線チャネルやワークグループ等であり、アドホックモードでローカル通信する双方の端末で同じ値に設定する必要がある。
図１において、無線端末３には予めローカル通信に必要なローカル通信パラメータが設定済みであって、その設定済みのローカル通信パラメータが無線タグ３２に記憶されている。そして、無線タグ３２のタグ情報を読取った無線端末１は、当該読取ったローカル通信パラメータを自端末の通信制御部１５に設定する。
なお、無線端末２の内部ブロックは、図２のブロック構成に無線タグ２２を追加しただけなので説明の詳細は省く。
【００１６】
図３は、本発明の無線端末１の動作フローチャートであって、電源投入された状態で本フローは開始する（Ｓ３０１）。
キー入力部１３からのローカル通信を開始するための特定操作が為されると（Ｓ３０２，ＹＥＳ）、端末制御部１４は無線タグリーダ１１を起動する（Ｓ３０３）。そして、無線タグリーダ１１が近傍の無線タグからタグ情報を読取ると（Ｓ３０４，ＹＥＳ）、ローカル通信パラメータ設定部１５はそのタグ情報がローカル通信に係る情報か否かを判定し（Ｓ３０５）、ローカル通信に係る情報であった場合（Ｓ３０５，ＹＥＳ）、当該タグ情報からローカル通信に必要なパラメータを抽出して通信制御部１６に設定する（Ｓ３０６）。
通信制御部１６は、設定されたパラメータでローカル通信を開始する（Ｓ３０７）。ローカル通信が終了すると（Ｓ３０８，ＹＥＳ）、タグリーダをオフ（Ｓ３１０）して、本フローは終了する（Ｓ３１１）。
【００１７】
Ｓ３０４およびＳ３０５でＮＯだった場合は、所定の時間（例えば５分）の経過前であれば（Ｓ３０９，ＮＯ）、Ｓ３０４に戻り、所定の時間の経過後であれば、Ｓ３１０に進む。
【００１８】
図４は、無線端末１と無線端末３の間でアドホックモードによるローカル通信を開始する場合のシーケンス図である。無線端末１と無線端末３の距離は近傍であって、無線端末１にて特定操作し（Ｓ４０１）、無線端末３にてローカル通信起動操作すると（Ｓ４０２）、無線端末１ではタグリーダ１１がオンし（Ｓ４０３）、無線端末３では予め設定されているローカル通信パラメータによるローカル通信が起動する（Ｓ４０４）。
【００１９】
ここで、無線端末１と無線端末３が接触（タッチ）すると（Ｓ４０５）、無線端末１のタグリーダ１１は無線端末３に装着された無線タグ３２から、無線端末３に予め設定されているローカル通信パラメータを読込む（Ｓ４０６）。そして、無線端末１は、取得した無線端末３のローカル通信パラメータを自端末のローカル通信パラメータ設定部１５に設定して（Ｓ４０７）、ローカル通信を起動する（Ｓ４０８）。
これにより、無線端末１を無線端末３は同一のローカル通信パラメータが設定され、ローカル通信が実行される（Ｓ４０９）。
【００２０】
なお、ローカル通信パラメータの内、無線チャネルについては、ＥＳＳ−ＩＤやワークグループ等が双方の無線端末で共有された後に、周波数スキャンして空きチャネルを検出し、予め定めた規則に従って、所定の空きチャネルを共通の無線チャネルとして双方で設定するようにしてもよい。
【００２１】
以上説明したように、本発明によれば、近傍の無線端末とローカル通信をする際に必要なローカル通信パラメータの設定を、簡単な操作をして相手の端末にタッチするだけで、ローカル通信を実行できる。しかも、無線ネットワーク通信を介さないので、インフラストラクチャモードによる通信が出来ない環境おいても、本発明による簡単なローカル通信パラメータの設定は実行可能である。
【００２２】
ところで、本発明による無線端末としては、データ通信端末や無線電話端末の一般に適用可能であり、データ通信端末に適用した場合には、近傍の端末とファイルやデータの交換が簡単になる。また、無線電話端末に適用した場合には、当該無線電話端末を簡単な操作で動作するトランシーバ兼用端末として利用することが可能である。
【００２３】
なお、本発明の実施形態として、無線タグを例に説明したが、本発明はこれに限られない。例えば、本実施例の無線タグリーダ及び無線タグはバーコードリーダ及びバーコードタグであってもよい。
【図面の簡単な説明】
【００２４】
【図１】本発明の実施形態に係る全体構成図
【図２】本発明の無線端末１の内部ブロック図
【図３】本発明の無線端末１の動作フローチャート図
【図４】本発明によるローカル通信のシーケンス図
【符号の説明】
【００２５】
１，２・・・本発明の無線端末
３・・・無線タグ３２が装着された無線端末
４・・・無線アクセスポイント
５・・・ＬＡＮ
１１・・・無線タグリーダ
１３・・・キー入力部
１４・・・端末制御部
１５・・・ローカル通信パラメータ設定部
１６・・・通信制御部
１７・・・無線通信部
１８・・・表示部
【図１】
0004998305.tif 000002
【図２】
0004998305.tif 000003
【図３】
0004998305.tif 000004
【図４】
0004998305.tif 000005